(57)【要約】【課題】多額の費用等を費やすことなく、携帯通信端末の位置の推移を把握することができる携帯通信端末、位置推移把握システム、収集情報提供装置、位置推移提供プログラム、収集情報提供プログラム、位置推移把握方法、位置推移提供方法、および収集情報提供方法を提供する。【解決手段】携帯通信端末１０ａ〜１０ｚは、通信手段１１ａ〜１１ｚと、位置情報生成手段１２ａ〜１２ｚと、記憶手段１３ａ〜１３ｚとをそれぞれ含む。通信手段１１ａ〜１１ｚは、近距離無線通信を行う。位置情報生成手段１２ａ〜１２ｚは、通信手段１１ａ〜１１ｚが他の携帯通信端末と近距離無線通信を行ったときに、現在位置を示す位置情報を生成する。記憶手段１３ａ〜１３ｚは、位置情報生成手段１２ａ〜１２ｚが生成した位置情報を記憶する。そして、通信手段１１ａ〜１１ｚは、情報収集手段２０に、記憶手段１３ａ〜１３ｚに記憶された位置情報を送信する。【選択図】      図１５
2015177488.tif 000002
【特許請求の範囲】
【請求項１】
近距離無線通信を行う通信手段と、
前記通信手段が前記近距離無線通信を行ったときに、現在位置を示す位置情報を生成する位置情報生成手段と、
前記位置情報生成手段が生成した前記位置情報を記憶する記憶手段とを備え、
前記通信手段は、位置情報を収集する情報収集手段に前記記憶手段に記憶された前記位置情報を送信する
ことを特徴とする携帯通信端末。
【請求項２】
前記通信手段が他の携帯通信端末と前記近距離無線通信を行ったときに現在時刻を示す時刻情報を提供する時刻情報提供手段を含み、
前記記憶手段は、前記時刻情報提供手段が提供した時刻情報を記憶し、
前記通信手段は、前記情報収集手段に、前記記憶手段に記憶された前記時刻情報を送信する
請求項１に記載の携帯通信端末。
【請求項３】
請求項１または請求項２に記載の複数の前記携帯通信端末と、
前記複数の携帯通信端末から情報を受信する前記情報収集手段とを備えた
ことを特徴とする位置推移把握システム。
【請求項４】
前記情報収集手段は、前記携帯通信端末から受信した情報を蓄積する情報蓄積手段と、
前記情報蓄積手段に蓄積されている蓄積情報を前記携帯通信端末に提供する情報提供手段とを含む
請求項３に記載の位置推移把握システム。
【請求項５】
携帯通信端末から受信した他の携帯通信端末の位置を示す情報を含む携帯通信端末情報を蓄積する情報蓄積手段と、
前記情報蓄積手段に蓄積された前記携帯通信端末情報を含む蓄積情報を前記携帯通信端末に提供する情報提供手段とを備える
ことを特徴とする収集情報提供装置。
【請求項６】
コンピュータに、
携帯通信端末と近距離無線通信を行う通信処理と、
前記通信処理で前記携帯通信端末と前記近距離無線通信を行ったときに、現在位置を示す位置情報を生成する位置情報生成処理と、
前記位置情報生成処理で生成した前記位置情報を記憶手段に記憶させる記憶処理とをそれぞれ実行させ、
前記通信処理で、前記記憶手段に記憶された前記位置情報を情報収集手段に送信させる
ための位置推移提供プログラム。
【請求項７】
コンピュータに、
携帯通信端末から受信した他の携帯通信端末の位置を示す情報を含む携帯通信端末情報を蓄積する情報蓄積手段に蓄積された前記携帯通信端末情報を含む蓄積情報を前記携帯通信端末に提供する情報提供処理を実行させる
ための収集情報提供プログラム。
【請求項８】
複数の携帯通信端末が、
近距離無線通信を行う通信ステップと、
前記通信ステップで他の携帯通信端末と前記近距離無線通信を行ったときに、現在位置を示す位置情報を生成する位置情報生成ステップと、
前記位置情報生成ステップで生成した前記位置情報を記憶手段に記憶させる記憶ステップとをそれぞれ含み、
前記通信ステップで、前記複数の携帯通信端末から情報を受信する情報収集手段に、前記記憶手段に記憶された前記位置情報を送信する
ことを特徴とする位置推移把握方法。
【請求項９】
近距離無線通信を行う通信ステップと、
前記通信ステップで前記近距離無線通信を行ったときに、現在位置を示す位置情報を生成する位置情報生成ステップと、
前記位置情報生成ステップ生成した前記位置情報を記憶手段に記憶させる記憶ステップとを含み、
前記通信ステップで、位置情報を収集する情報収集手段に前記記憶手段に記憶された前記位置情報を送信する
ことを特徴とする位置推移提供方法。
【請求項１０】
携帯通信端末から受信した他の携帯通信端末の位置を示す情報を含む携帯通信端末情報を情報蓄積手段に蓄積させる情報蓄積ステップと、
前記情報蓄積手段に蓄積された前記携帯通信端末情報を含む蓄積情報を前記携帯通信端末に提供する情報提供ステップとを含む
ことを特徴とする収集情報提供方法。
【発明の詳細な説明】
【技術分野】
【０００１】
本発明は、携帯通信端末の位置の推移を把握することができる携帯通信端末、位置推移把握システム、収集情報提供装置、位置推移提供プログラム、収集情報提供プログラム、位置推移把握方法、位置推移提供方法、および収集情報提供方法に関する。
【背景技術】
【０００２】
所定の範囲内を移動する人の情報を収集するために構成されたシステムがある（例えば、特許文献１〜６参照）。
【０００３】
特許文献１〜４に記載されているシステムでは、各情報収集対象者によってそれぞれ所持される各携帯通信端末が互いに情報を送受信する。そして、各携帯通信端末は、携帯電話通信網等の通信ネットワークを介して、情報収集装置に他の携帯通信端末から受信した情報を送信する。
【０００４】
また、特許文献５，６に記載されているシステムは、位置情報を提供する複数の基準局を所定の範囲内に設け、当該所定の範囲内を移動する人の位置情報を収集する。
【０００５】
なお、特許文献７に記載されているシステムでは、所定の情報を蓄積した情報蓄積端末が、所定の範囲内の携帯通信端末に情報を提供し、当該携帯通信端末が近傍の他の携帯通信端末に当該所定の情報を提供する。
【先行技術文献】
【特許文献】
【０００６】
【特許文献１】特開２００６−１７２２２３号公報
【特許文献２】特開２００７−２９８４０４号公報
【特許文献３】特開２０１０−２８８０６号公報
【特許文献４】特開２０１０−２５１８５８号公報
【特許文献５】特開２００９−３６６９２号公報
【特許文献６】国際公開第２００８／１４６４９２号
【特許文献７】特開２０１２−１６９９３５号公報
【発明の概要】
【発明が解決しようとする課題】
【０００７】
しかし、特許文献１〜４に記載されているシステムのように、携帯電話通信網等の通信ネットワークを介して各携帯通信端末から情報を受信可能なように情報収集装置を構成するためには、多額の費用を要するという問題がある。特に、登山道が設けられているような山岳地帯に通信ネットワークに接続可能な情報収集装置を設置するためには、電力供給源の用意を含め、多額の費用を要する。携帯電話通信網の電波が届かない場所にあっては、さらに多額の費用を要することになる。
【０００８】
また、特許文献５，６に記載されているシステムは、所定の範囲内に位置情報を提供する基準局を設けなければならず、やはり、システムの構築に多額の費用を要するという問題がある。また、基準局等を設置するためには、設置の許可を取らなければならず、特許文献５，６に記載されているシステムには、運用開始までに時間を要するという問題もある。
【０００９】
特許文献７に記載されているシステムは、情報蓄積端末が提供した所定の情報を所定の範囲内にある携帯通信端末に提供しているが、当該携帯通信端末の移動の状況を把握できることが好ましい。
【００１０】
そこで、本発明は、多額の費用等を費やすことなく、携帯通信端末の位置の推移を把握することができる携帯通信端末、位置推移把握システム、収集情報提供装置、位置推移提供プログラム、収集情報提供プログラム、位置推移把握方法、位置推移提供方法、および収集情報提供方法を提供することを目的とする。
【課題を解決するための手段】
【００１１】
本発明による携帯通信端末は、近距離無線通信を行う通信手段と、通信手段が近距離無線通信を行ったときに、現在位置を示す位置情報を生成する位置情報生成手段と、位置情報生成手段が生成した位置情報を記憶する記憶手段とを備え、通信手段は、位置情報を収集する情報収集手段に記憶手段に記憶された位置情報を送信することを特徴とする。
【００１２】
本発明による位置推移把握システムは、いずれかの態様の複数の携帯通信端末と、複数の携帯通信端末から情報を受信する情報収集手段とを備えたことを特徴とする。
【００１３】
本発明による収集情報提供装置は、携帯通信端末から受信した他の携帯通信端末の位置を示す情報を含む携帯通信端末情報を蓄積する情報蓄積手段と、情報蓄積手段に蓄積された携帯通信端末情報を含む蓄積情報を携帯通信端末に提供する情報提供手段とを備えることを特徴とする。
【００１４】
本発明による位置推移提供プログラムは、コンピュータに、携帯通信端末と近距離無線通信を行う通信処理と、通信処理で携帯通信端末と近距離無線通信を行ったときに、現在位置を示す位置情報を生成する位置情報生成処理と、位置情報生成処理で生成した位置情報を記憶手段に記憶させる記憶処理とをそれぞれ実行させ、通信処理で、記憶手段に記憶された位置情報を情報収集手段に送信させることを特徴とする。
【００１５】
本発明による収集情報提供プログラムは、コンピュータに、携帯通信端末から受信した他の携帯通信端末の位置を示す情報を含む携帯通信端末情報を蓄積する情報蓄積手段に蓄積された携帯通信端末情報を含む蓄積情報を携帯通信端末に提供する情報提供処理を実行させることを特徴とする。
【００１６】
本発明による位置推移把握方法は、複数の携帯通信端末が、近距離無線通信を行う通信ステップと、通信ステップで他の携帯通信端末と近距離無線通信を行ったときに、現在位置を示す位置情報を生成する位置情報生成ステップと、位置情報生成ステップで生成した位置情報を記憶手段に記憶させる記憶ステップとをそれぞれ含み、通信ステップで、複数の携帯通信端末から情報を受信する情報収集手段に、記憶手段に記憶された位置情報を送信することを特徴とする。
【００１７】
本発明による位置推移提供方法は、近距離無線通信を行う通信ステップと、通信ステップで近距離無線通信を行ったときに、現在位置を示す位置情報を生成する位置情報生成ステップと、位置情報生成ステップ生成した位置情報を記憶手段に記憶させる記憶ステップとを含み、通信ステップで、位置情報を収集する情報収集手段に記憶手段に記憶された位置情報を送信することを特徴とする。
【００１８】
本発明による収集情報提供方法は、携帯通信端末から受信した他の携帯通信端末の位置を示す情報を含む携帯通信端末情報を情報蓄積手段に蓄積させる情報蓄積ステップと、情報蓄積手段に蓄積された携帯通信端末情報を含む蓄積情報を携帯通信端末に提供する情報提供ステップとを含むことを特徴とする。
【発明の効果】
【００１９】
本発明によれば、多額の費用等を費やすことなく、携帯通信端末の位置の推移を把握することができる。
【図面の簡単な説明】
【００２０】
【図１】本発明の第１の実施形態の位置推移把握システムの構成例を示すブロック図である。
【図２】イが所持する携帯通信端末とロが所持する携帯通信端末とが情報を送受信する様子を示す説明図である。
【図３】イが所持する携帯通信端末とロが所持する携帯通信端末とが情報を送受信する動作を示すシーケンス図である。
【図４】イが所持する携帯通信端末と情報収集セットとが情報を送受信する様子を示す説明図である。
【図５】イが所持する携帯通信端末と情報収集セットとが情報を送受信する動作を示すシーケンス図である。
【図６】テーマパークにおける各来場者の位置の推移の第１の例を示す説明図である。
【図７】イの携帯通信端末が通信装置へ送信した情報の例を示す説明図である。
【図８】テーマパークにおける各来場者の位置の推移の第２の例を示す説明図である。
【図９】ヲの携帯通信端末が通信装置へ送信した情報の例を示す説明図である。
【図１０】図７に示した説明図と図９に示した説明図とに重複して現れた携帯通信端末を示す説明図である。
【図１１】本発明の第２の実施形態の位置推移把握システムの構成例を示すブロック図である。
【図１２】本発明の第２の実施形態の位置推移把握システムにおける各構成要素の配置を示す説明図である。
【図１３】情報収集セットの電力供給システムの構成例を示すブロック図である。
【図１４】情報収集セットの動作を示すフローチャートである。
【図１５】本発明の第３の実施形態の携帯通信端末の構成例を示すブロック図である。
【図１６】本発明の第４の実施形態の位置推移把握システムの構成例を示すブロック図である。
【図１７】本発明の第５の実施形態の収集情報提供装置の構成例を示すブロック図である。
【発明を実施するための形態】
【００２１】
実施形態１．
本発明の第１の実施形態の位置推移把握システムについて、図面を参照して説明する。図１は、本発明の第１の実施形態の位置推移把握システムの構成例を示すブロック図である。図１に示すように、本発明の第１の実施形態の位置推移把握システムは、携帯通信端末１００ａ〜１００ｚと情報収集セット２００とを含む。
【００２２】
携帯通信端末１００ａ〜１００ｚは、位置情報生成部１０１ａ〜１０１ｚ、時刻情報提供部１０２ａ〜１０２ｚ、通信部１０３ａ〜１０３ｚ、記憶部１０４ａ〜１０４ｚ、および制御部１０５ａ〜１０５ｚをそれぞれ含み、本実施形態では、互いに同じ構成である。
【００２３】
位置情報生成部１０１ａ〜１０１ｚは、例えば、ＧＰＳ（Ｇｌｏｂａｌ  Ｐｏｓｉｔｉｏｎｉｎｇ  Ｓｙｓｔｅｍ）衛星から受信した情報に基づいて、自端末の現在位置を示す位置情報を生成する。時刻情報提供部１０２ａ〜１０２ｚは、例えば、リアルタイムクロックによって実現され、現在時刻を示す時刻情報を提供する。通信部１０３ａ〜１０３ｚは、近距離無線通信を行って、他の携帯通信端末１００ａ〜１００ｚおよび情報収集セット２００と情報を送受信する。記憶部１０４ａ〜１０４ｚは、情報を記憶する。制御部１０５ａ〜１０５ｚは、例えば、プログラム制御に従って処理を実行するＣＰＵ（Ｃｅｎｔｒａｌ  Ｐｒｏｃｅｓｓｉｎｇ  Ｕｎｉｔ）によって実現され、携帯通信端末１００ａ〜１００ｚの各部を制御する。
【００２４】
情報収集セット２００は、情報蓄積部２１１および制御部２１２を含む制御装置２１０と、当該制御装置２１０に接続された通信装置２２０とを含む。制御装置２１０は、例えば、コンピュータによって実現される。なお、通信装置２２０は、制御装置２１０に内蔵されていてもよい。
【００２５】
通信装置２２０は、制御装置２１０の制御部２１２の制御に従って、近距離無線通信を行い、携帯通信端末１００ａ〜１００ｚと情報を送受信する。制御部２１２は、通信装置２２０が携帯通信端末１００ａ〜１００ｚから受信した情報を情報蓄積部２１１に蓄積させる。情報蓄積部２１１は、制御部２１２の制御に従って情報を蓄積する。
【００２６】
なお、携帯通信端末１００ａ〜１００ｚの通信部１０３ａ〜１０３ｚ、および情報収集セット２００の通信装置２２０が行う近距離無線通信は、例えば、ブルートゥース（登録商標）の規格に基づく通信や、赤外線無線通信、その他の無線通信である。なお、以下、近距離無線通信で行われる情報の送受信を行き交い通信と称することがある。
【００２７】
次に、本実施形態の位置推移把握システムの動作について説明する。まず、携帯通信端末１００ａと携帯通信端末１００ｂとが互いに情報を送受信する動作について説明する。図２は、来場者「イ」が所持する携帯通信端末１００ａと来場者「ロ」が所持する携帯通信端末１００ｂとが情報を送受信する様子を示す説明図である。図３は、来場者「イ」が所持する携帯通信端末１００ａと来場者「ロ」が所持する携帯通信端末１００ｂとが情報を送受信する動作を示すシーケンス図である。なお、以下、来場者「イ」，「ロ」等を単に「イ」，「ロ」等という。
【００２８】
「イ」が所持する携帯通信端末１００ａおよび「ロ」が所持する携帯通信端末１００ｂは、周期的に、他の携帯通信端末に応答を要求する情報である要求情報を近距離無線通信で送信する。具体的には、携帯通信端末１００ａ，１００ｂの通信部１０３ａ，１０３ｂは、制御部１０５ａ，１０５ｂの制御に従って、周期的に、要求情報を近距離無線通信で送信する。本例では、「イ」の近傍に「ロ」がいて、「イ」が所持する携帯通信端末１００ａが送信した要求情報を「ロ」が所持する携帯通信端末１００ｂが受信したとする（ステップＳ１０１，Ｓ１０２）。要求情報には、発信元の携帯通信端末１００ａを他の携帯通信端末１００ｂ〜１００ｚから識別するための識別情報「Ａ」が含まれている。以下、各携帯通信端末の符号の末尾に付された文字が当該携帯通信端末に設定された識別情報であるとする。
【００２９】
携帯通信端末１００ａが送信した要求情報を受信した携帯通信端末１００ｂの制御部１０５ｂは、位置情報生成部１０１ｂに位置情報を生成させる（ステップＳ１０３）。そして、携帯通信端末１００ｂの制御部１０５ｂは、ステップＳ１０２の処理で要求情報を受信したことに応じて、以下の処理を行う。すなわち、制御部１０５ｂは、識別情報「Ａ」と、位置情報と、時刻情報とを対応付けて記憶部１０４ｂに記憶させる（ステップＳ１０４）。なお、識別情報「Ａ」は、ステップＳ１０２の処理で受信した要求情報に含まれている。位置情報は、ステップＳ１０３の処理で生成されている。時刻情報は、時刻情報提供部１０２ｂによって提供される。
【００３０】
また、携帯通信端末１００ｂの制御部１０５ｂは、携帯通信端末１００ａが送信した要求情報を受信したことに応じて、当該携帯通信端末１００ａに、近距離無線通信で、応答情報を送信する（ステップＳ１０５）。応答情報には、発信元の携帯通信端末１００ｂを他の携帯通信端末１００ａ，１００ｃ〜１００ｚから識別するための識別情報「Ｂ」が含まれている。
【００３１】
携帯通信端末１００ｂが送信した応答情報を受信した携帯通信端末１００ａの制御部１０５ａは、位置情報生成部１０１ａに位置情報を生成させる（ステップＳ１０６）。そして、携帯通信端末１００ａの制御部１０５ａは、ステップＳ１０４の処理で送信された応答情報を受信したことに応じて、以下の処理を行う。すなわち、制御部１０５ａは、識別情報「Ｂ」と、位置情報と、時刻情報とを対応付けて記憶部１０４ａに記憶させる（ステップＳ１０７）。なお、識別情報「Ｂ」は、ステップＳ１０５の処理で送信された応答情報に含まれている。位置情報は、ステップＳ１０６の処理で生成されている。時刻情報は、時刻情報提供部１０２ａによって提供される。
【００３２】
次に、携帯通信端末１００ａと情報収集セット２００とが互いに情報を送受信する動作について説明する。図４は、「イ」が所持する携帯通信端末１００ａと情報収集セット２００とが情報を送受信する様子を示す説明図である。図５は、「イ」が所持する携帯通信端末１００ａと情報収集セット２００とが情報を送受信する動作を示すシーケンス図である。本例では、携帯通信端末１００ａは、図３に示すように携帯通信端末１００ｂと情報を送受信する各処理を行ったあとで、情報収集セット２００と情報を送受信する。
【００３３】
「イ」が所持する携帯通信端末１００ａおよび情報収集セット２００は、周期的に、他の携帯通信端末への応答を要求する情報である要求情報を近距離無線通信で送信する。具体的には、携帯通信端末１００ａの通信部１０３ａおよび情報収集セット２００の通信装置２２０は、それぞれ制御部１０５ａおよび制御装置２１０の制御部２１２の制御に従って、周期的に、要求情報を近距離無線通信で送信する。本例では、情報収集セット２００の近傍に「イ」がいて、情報収集セット２００の通信装置２２０が送信した要求情報を「イ」が所持する携帯通信端末１００ａが受信したとする（ステップＳ２０１，Ｓ２０２）。要求情報には、発信元の情報収集セット２００の通信装置２２０を携帯通信端末１００ａ〜１００ｚから識別するための識別情報「ＧＡＴＥ１」が含まれている。
【００３４】
情報収集セット２００の通信装置２２０が送信した要求情報を受信した携帯通信端末１００ａの制御部１０５ａは、ステップＳ２０２の処理で識別情報「ＧＡＴＥ１」を含む要求情報を受信したことに応じて、以下の処理を行う。すなわち、制御部１０５ａは、識別情報「Ａ」と記憶部１０４ａに記憶されている情報とを含む応答情報を通信部１０３ａに通信装置２２０へ近距離無線通信で送信させる（ステップＳ２０３）。ステップＳ２０３の処理で送信される情報は、携帯通信端末１００ａの識別情報「Ａ」と、図３に示すステップＳ１０７の処理で記憶部１０４ｂに記憶された情報とである。したがって、ステップＳ２０３の処理では、携帯通信端末１００ａの識別情報「Ａ」、携帯通信端末１００ｂの識別情報「Ｂ」、位置情報、および時刻情報が送信される。なお、位置情報は、図３に示すステップＳ１０６の処理で生成された情報である。また、時刻情報は、携帯通信端末ａの通信部１０３ａが携帯通信端末１００ｂの通信部１０３ｂから応答情報を受信したことに応じて時刻情報提供部１０２ａが提供した情報である。よって、ステップＳ２０３の処理で携帯通信端末１００ａから情報収集セット２００の通信装置２２０に送信される情報は、携帯通信端末１００ａと携帯通信端末１００ｂとが行き交い通信を行った位置を示す情報および時刻を示す情報を含む。
【００３５】
情報収集セット２００の制御装置２１０の制御部２１２は、ステップＳ２０３の処理で送信されて通信装置２２０が受信した情報を情報蓄積部２１１に記憶させる（ステップＳ２０４）。
【００３６】
したがって、情報収集セット２００の制御装置２１０の情報蓄積部２１１には、携帯通信端末１００ａと携帯通信端末１００ｂとが行き交い通信を行ったときの情報が蓄積される。
【００３７】
次に、本発明の第１の実施形態の位置推移把握システムがテーマパークにおける来場者の位置推移の把握に用いられる例について説明する。図６は、テーマパークにおける各来場者の位置の推移の第１の例を示す説明図である。図６には来場者である「イ」の位置の推移が示されている。図６に示すように、本実施形態では、例えば、テーマパークの出入口３００に情報収集セット２００が設置されている。なお、出入口３００には、通信装置２２０が設置されていれば、情報収集セット２００の制御装置２１０は別の場所に設置されていてもよい。
【００３８】
「イ」は、例えば、情報収集セット２００が設置された出入口３００で、携帯通信端末１００ａ（図６において図示せず）を受け取る。そうすると、携帯通信端末１００ａの制御部１０５ａは、通信部１０３ａが通信装置２２０と情報を送受信したことに基づいて、以下に示す情報を記憶部１０４ａに記憶させる。
「ＧＡＴＥ  ：  １３時００分  ：  ｐｏｉｎｔ  ＧＡＴＥ」
ここで、「ＧＡＴＥ」は、携帯通信端末１００ａの通信部１０３ａが情報収集セット２００の通信装置２２０から受信した当該情報収集セット２００を示す識別情報である。また、「１３時００分」は、携帯通信端末１００ａの通信部１０３ａが通信装置２２０と情報を送受信したときに時刻情報提供部１０２ａから提供された時刻情報によって示される時刻である。「ｐｏｉｎｔ  ＧＡＴＥ」は、携帯通信端末１００ａの通信部１０３ａが通信装置２２０と情報を送受信したときに位置情報生成部１０１ａが生成した出入口３００の位置を示す位置情報である。
【００３９】
次に、「イ」は、図６に矢印１で示されている経路を移動し、地点Ｐ１で来場者「ロ」と行き交う。「イ」が「ロ」と行き交うときに、「イ」の携帯通信端末１００ａと「ロ」の携帯通信端末１００ｂとが情報を送受信する。そして、「イ」の携帯通信端末１００ａの制御部１０５ａは、通信部１０３ａが「ロ」の携帯通信端末１００ｂと情報を送受信したことに基づいて、以下に示す情報を記憶部１０４ａに記憶させる。
「Ｂ  ：  １３時０２分  ：  ｐｏｉｎｔ  Ｐ１」
さらに、「イ」は、図６に矢印２で示されている経路を移動し、地点Ｐ２で来場者「ハ」と行き交う。「イ」が「ハ」と行き交うときに、「イ」の携帯通信端末１００ａと「ハ」の携帯通信端末１００ｃとが情報を送受信する。そして、「イ」の携帯通信端末１００ａの制御部１０５ａは、通信部１０３ａが「ハ」の携帯通信端末１００ｃと情報を送受信したことに基づいて、以下に示す情報を記憶部１０４ａに記憶させる。
「Ｃ  ：  １３時１０分  ：  ｐｏｉｎｔ  Ｐ２」
また、「イ」は、図６に矢印３で示されている経路を移動し、地点Ｐ３で来場者「ニ」と行き交う。「イ」が「ニ」と行き交うときに、「イ」の携帯通信端末１００ａと「ニ」の携帯通信端末１００ｄとが情報を送受信する。そして、「イ」の携帯通信端末１００ａの制御部１０５ａは、通信部１０３ａが「ニ」の携帯通信端末１００ｄと情報を送受信したことに基づいて、以下に示す情報を記憶部１０４ａに記憶させる。
「Ｄ  ：  １３時３０分  ：  ｐｏｉｎｔ  Ｐ３」
さらに、「イ」は、図６に矢印４で示されている経路を移動し、地点Ｐ４で来場者「ホ」と行き交う。「イ」が「ホ」と行き交うときに、「イ」の携帯通信端末１００ａと「ホ」の携帯通信端末１００ｅとが情報を送受信する。そして、「イ」の携帯通信端末１００ａの制御部１０５ａは、通信部１０３ａが「ホ」の携帯通信端末１００ｅと情報を送受信したことに基づいて、以下に示す情報を記憶部１０４ａに記憶させる。
「Ｅ  ：  １３時４５分  ：  ｐｏｉｎｔ  Ｐ４」
また、「イ」は、図６に矢印５で示されている経路を移動し、地点Ｐ５で来場者「ヘ」と行き交う。「イ」が「ヘ」と行き交うときに、「イ」の携帯通信端末１００ａと「ヘ」の携帯通信端末１００ｆとが情報を送受信する。そして、「イ」の携帯通信端末１００ａの制御部１０５ａは、通信部１０３ａが「ヘ」の携帯通信端末１００ｆと情報を送受信したことに基づいて、以下に示す情報を記憶部１０４ａに記憶させる。
「Ｆ  ：  １３時５３分  ：  ｐｏｉｎｔ  Ｐ５」
さらに、「イ」は、図６に矢印６で示されている経路を移動し、地点Ｐ６で来場者「ト」と行き交う。「イ」が「ト」と行き交うときに、「イ」の携帯通信端末１００ａと「ト」の携帯通信端末１００ｇとが情報を送受信する。そして、「イ」の携帯通信端末１００ａの制御部１０５ａは、通信部１０３ａが「ト」の携帯通信端末１００ｇと情報を送受信したことに基づいて、以下に示す情報を記憶部１０４ａに記憶させる。
「Ｇ  ：  １４時０８分  ：  ｐｏｉｎｔ  Ｐ６」
また、「イ」は、図６に矢印７で示されている経路を移動し、地点Ｐ７で来場者「チ」と行き交う。「イ」が「チ」と行き交うときに、「イ」の携帯通信端末１００ａと「チ」の携帯通信端末１００ｈとが情報を送受信する。そして、「イ」の携帯通信端末１００ａの制御部１０５ａは、通信部１０３ａが「チ」の携帯通信端末１００ｈと情報を送受信したことに基づいて、以下に示す情報を記憶部１０４ａに記憶させる。
「Ｈ  ：  １４時１３分  ：  ｐｏｉｎｔ  Ｐ７」
さらに、「イ」は、図６に矢印８で示されている経路を移動し、地点Ｐ８で来場者「リ」と行き交う。「イ」が「リ」と行き交うときに、「イ」の携帯通信端末１００ａと「リ」の携帯通信端末１００ｉとが情報を送受信する。そして、「イ」の携帯通信端末１００ａの制御部１０５ａは、通信部１０３ａが「リ」の携帯通信端末１００ｉと情報を送受信したことに基づいて、以下に示す情報を記憶部１０４ａに記憶させる。
「Ｉ  ：  １４時２０分  ：  ｐｏｉｎｔ  Ｐ８」
また、「イ」は、図６に矢印９で示されている経路を移動し、地点Ｐ９で来場者「ヌ」と行き交う。「イ」が「ヌ」と行き交うときに、「イ」の携帯通信端末１００ａと「ヌ」の携帯通信端末１００ｊとが情報を送受信する。そして、「イ」の携帯通信端末１００ａの制御部１０５ａは、通信部１０３ａが「ヌ」の携帯通信端末１００ｊと情報を送受信したことに基づいて、以下に示す情報を記憶部１０４ａに記憶させる。
「Ｊ  ：  １４時３４分  ：  ｐｏｉｎｔ  Ｐ９」
さらに、「イ」は、図６に矢印１０で示されている経路を移動し、地点Ｐ１０で来場者「ル」と行き交う。「イ」が「ル」と行き交うときに、「イ」の携帯通信端末１００ａと「ル」の携帯通信端末１００ｋとが情報を送受信する。そして、「イ」の携帯通信端末１００ａの制御部１０５ａは、通信部１０３ａが「ル」の携帯通信端末１００ｋと情報を送受信したことに基づいて、以下に示す情報を記憶部１０４ａに記憶させる。
「Ｋ  ：  １４時４５分  ：  ｐｏｉｎｔ  Ｐ１０」
そして、「イ」は、図６に矢印１１で示されている経路を移動し、地点Ｐ１０から出入口３００に移動する。出入口３００には、情報収集セット２００の通信装置２２０が設置されている。そこで、「イ」の携帯通信端末１００ａの制御部１０５ａは、出入口３００を通過するときに、通信部１０３ａに、記憶部１０４ａに記憶されている情報を情報収集セット２００の通信装置２２０へ送信させる。
【００４０】
図７は、「イ」の携帯通信端末１００ａが通信装置２２０へ送信した情報の例を示す説明図である。図７に示すように、「イ」の携帯通信端末１００ａは、行き交い通信を行った相手方の携帯通信端末の識別情報、および当該行き交い通信を行った時刻を示す時刻情報と位置を示す位置情報とを通信装置２２０へ送信する。そして、図７に示すように、通信装置２２０へ送信された情報に含まれる時刻情報と位置情報とによって、携帯通信端末１００ａを所持する「イ」の位置の推移を把握することができる。
【００４１】
図８は、テーマパークにおける各来場者の位置の推移の第２の例を示す説明図である。図８には来場者である「ヲ」の位置の推移が示されている。図８に示すように、「ヲ」は、例えば、情報収集セット２００の通信装置２２０が設置された出入口３００で、携帯通信端末１００ｌを受け取る。そうすると、携帯通信端末１００ｌの制御部１０５ｌは、通信部１０３ｌが通信装置２２０と情報を送受信したことに基づいて、以下に示す情報を記憶部１０４ｌに記憶させる。
「ＧＡＴＥ  ：  １４時１５分  ：  ｐｏｉｎｔ  ＧＡＴＥ」
次に、「ヲ」は、図８に矢印１２で示されている経路を移動し、地点Ｐ１１で来場者「ワ」と行き交う。「ヲ」が「ワ」と行き交うときに、「ヲ」の携帯通信端末１００ｌと「ワ」の携帯通信端末１００ｍとが情報を送受信する。そして、「ヲ」の携帯通信端末１００ｌの制御部１０５ｌは、通信部１０３ｌが「ワ」の携帯通信端末１００ｍと情報を送受信したことに基づいて、以下に示す情報を記憶部１０４ｌに記憶させる。
「Ｍ  ：  １４時１７分  ：  ｐｏｉｎｔ  Ｐ１１」
さらに、「ヲ」は、図８に矢印１３で示されている経路を移動し、地点Ｐ１２で来場者「カ」と行き交う。「ヲ」が「カ」と行き交うときに、「ヲ」の携帯通信端末１００ｌと「カ」の携帯通信端末１００ｎとが情報を送受信する。そして、「ヲ」の携帯通信端末１００ｌの制御部１０５ｌは、通信部１０３ｌが「カ」の携帯通信端末１００ｎと情報を送受信したことに基づいて、以下に示す情報を記憶部１０４ｌに記憶させる。
「Ｎ  ：  １４時２３分  ：  ｐｏｉｎｔ  Ｐ１２」
また、「ヲ」は、図８に矢印１４で示されている経路を移動し、地点Ｐ１３で来場者「ニ」と行き交う。「ヲ」が「ニ」と行き交うときに、「ヲ」の携帯通信端末１００ｌと「ニ」の携帯通信端末１００ｄとが情報を送受信する。そして、「ヲ」の携帯通信端末１００ｌの制御部１０５ｌは、通信部１０３ｌが「ニ」の携帯通信端末１００ｄと情報を送受信したことに基づいて、以下に示す情報を記憶部１０４ｌに記憶させる。
「Ｄ  ：  １４時３１分  ：  ｐｏｉｎｔ  Ｐ１３」
さらに、「ヲ」は、図８に矢印１５で示されている経路を移動し、地点Ｐ１４で来場者「ヨ」と行き交う。「ヲ」が「ヨ」と行き交うときに、「ヲ」の携帯通信端末１００ｌと「ヨ」の携帯通信端末１００ｏとが情報を送受信する。そして、「ヲ」の携帯通信端末１００ｌの制御部１０５ｌは、通信部１０３ｌが「ヨ」の携帯通信端末１００ｏと情報を送受信したことに基づいて、以下に示す情報を記憶部１０４ｌに記憶させる。
「Ｏ  ：  １４時４４分  ：  ｐｏｉｎｔ  Ｐ１４」
また、「ヲ」は、図８に矢印１６で示されている経路を移動し、地点Ｐ１５で来場者「タ」と行き交う。「ヲ」が「タ」と行き交うときに、「ヲ」の携帯通信端末１００ｌと「タ」の携帯通信端末１００ｐとが情報を送受信する。そして、「ヲ」の携帯通信端末１００ｌの制御部１０５ｌは、通信部１０３ｌが「タ」の携帯通信端末１００ｐと情報を送受信したことに基づいて、以下に示す情報を記憶部１０４ｌに記憶させる。
「Ｐ  ：  １４時５０分  ：  ｐｏｉｎｔ  Ｐ１５」
さらに、「ヲ」は、図８に矢印１７で示されている経路を移動し、地点Ｐ１６で来場者「チ」と行き交う。「ヲ」が「チ」と行き交うときに、「ヲ」の携帯通信端末１００ｌと「チ」の携帯通信端末１００ｈとが情報を送受信する。そして、「ヲ」の携帯通信端末１００ｌの制御部１０５ｌは、通信部１０３ｌが「チ」の携帯通信端末１００ｈと情報を送受信したことに基づいて、以下に示す情報を記憶部１０４ｌに記憶させる。
「Ｈ  ：  １４時５８分  ：  ｐｏｉｎｔ  Ｐ１６」
また、「ヲ」は、図８に矢印１８で示されている経路を移動し、地点Ｐ１７で来場者「レ」と行き交う。「ヲ」が「レ」と行き交うときに、「ヲ」の携帯通信端末１００ｌと「レ」の携帯通信端末１００ｑとが情報を送受信する。そして、「ヲ」の携帯通信端末１００ｌの制御部１０５ｌは、通信部１０３ｌが「レ」の携帯通信端末１００ｑと情報を送受信したことに基づいて、以下に示す情報を記憶部１０４ｌに記憶させる。
「Ｑ  ：  １５時１０分  ：  ｐｏｉｎｔ  Ｐ１７」
さらに、「ヲ」は、図８に矢印１９で示されている経路を移動し、地点Ｐ１８で来場者「ソ」と行き交う。「ヲ」が「ソ」と行き交うときに、「ヲ」の携帯通信端末１００ｌと「ソ」の携帯通信端末１００ｒとが情報を送受信する。そして、「ヲ」の携帯通信端末１００ｌの制御部１０５ｌは、通信部１０３ｌが「ソ」の携帯通信端末１００ｒと情報を送受信したことに基づいて、以下に示す情報を記憶部１０４ｌに記憶させる。
「Ｒ  ：  １５時１２分  ：  ｐｏｉｎｔ  Ｐ１８」
また、「ヲ」は、図８に矢印２０で示されている経路を移動し、地点Ｐ１９で来場者「ヌ」と行き交う。「ヲ」が「ヌ」と行き交うときに、「ヲ」の携帯通信端末１００ｌと「ヌ」の携帯通信端末１００ｊとが情報を送受信する。そして、「ヲ」の携帯通信端末１００ｌの制御部１０５ｌは、通信部１０３ｌが「ヌ」の携帯通信端末１００ｊと情報を送受信したことに基づいて、以下に示す情報を記憶部１０４ｌに記憶させる。
「Ｊ  ：  １５時２０分  ：  ｐｏｉｎｔ  Ｐ１９」
さらに、「ヲ」は、図８に矢印２１で示されている経路を移動し、地点Ｐ２０で来場者「ツ」と行き交う。「ヲ」が「ツ」と行き交うときに、「ヲ」の携帯通信端末１００ｌと「ツ」の携帯通信端末１００ｓとが情報を送受信する。そして、「ヲ」の携帯通信端末１００ｌの制御部１０５ｌは、通信部１０３ｌが「ツ」の携帯通信端末１００ｓと情報を送受信したことに基づいて、以下に示す情報を記憶部１０４ｌに記憶させる。
「Ｓ  ：  １５時２２分  ：  ｐｏｉｎｔ  Ｐ２０」
そして、「ヲ」は、図８に矢印２２で示されている経路を移動し、地点２０から出入口３００に移動する。出入口３００には、情報収集セット２００の通信装置２２０が設置されている。そこで、「ヲ」の携帯通信端末１００ｌの制御部１０５ｌは、出入口３００を通過するときに、通信部１０３ｌに、記憶部１０４ｌに記憶されている情報を情報収集セット２００の通信装置２２０へ送信させる。
【００４２】
図９は、「ヲ」の携帯通信端末１００ｌが通信装置２２０へ送信した情報の例を示す説明図である。図９に示すように、「ヲ」の携帯通信端末１００ｌは、行き交い通信を行った相手方の携帯通信端末の識別情報、および当該行き交い通信を行った時刻を示す時刻情報と位置を示す位置情報とを通信装置２２０へ送信する。そして、図９に示すように、通信装置２２０へ送信された情報含まれる時刻情報と位置情報とによって、携帯通信端末１００ｌを所持する「ヲ」の位置の推移を把握することができる。
【００４３】
図１０は、図７に示した説明図と図９に示した説明図とに重複して現れた携帯通信端末を示す説明図である。図１０に示すように、携帯通信端末１００ｄを所持している来場者「ニ」は、１３時３０分に地点Ｐ３で来場者「イ」と行き交い、１４時３１分に地点Ｐ１３で来場者「ヲ」と行き交ったことがわかる。また、図１０に示すように、携帯通信端末１００ｈを所持している来場者「チ」は、１４時０８分に地点Ｐ６で来場者「イ」と行き交い、１４時５８分に地点Ｐ１６で来場者「ヲ」と行き交ったことがわかる。さらに、図１０に示すように、携帯通信端末１００ｊを所持している来場者「ヌ」は、１４時３４分に地点Ｐ９で来場者「イ」と行き交い、１５時２０分に地点Ｐ１９で来場者「ヲ」と行き交ったことがわかる。
【００４４】
そうすると、情報収集セット２００の制御装置２１０の情報蓄積部２１１に蓄積された情報にもとづいて、以下のことがわかる。
「地点Ｐ３にいた来場者「ニ」は６１分後に地点Ｐ１３にいた」
「地点Ｐ６にいた来場者「ト」は５０分後に地点Ｐ１６にいた」
「地点Ｐ９にいた来場者「ヌ」は４６分後に地点Ｐ１９にいた」
つまり、各来場者の位置の推移を把握することができる。したがって、来場者の動線を把握することができる。
【００４５】
本実施形態によれば、各携帯通信端末は、他の携帯通信端末と行き交い通信を行うごとに位置情報と時刻情報とを記憶する。したがって、情報収集セット２００の通信装置２２０が各携帯通信端末から当該情報を受信することによって、各携帯通信端末を所持していた各来場者の位置の推移を把握することができる。
【００４６】
また、本実施形態によれば、携帯通信端末１００ａ，１００ｌが行き交い通信を行ったときの情報を情報収集セット２００の通信装置２２０が当該携帯通信端末１００ａ，１００ｌから受信する。当該情報によって、行き交った相手が所持していた携帯通信端末を識別する情報、行き交い通信を行った時刻、および行き交い通信を行った場所が示される。よって、携帯通信端末１００ａ，１００ｌから受信した情報にもとづいて、他の携帯通信端末の所持者の位置の推移を把握することができる。
【００４７】
さらに、本実施形態によれば、当該他の携帯通信端末の所持者の位置の推移を、当該所持者が出入口３００を通過して退出する前に、把握することができる。したがって、例えば、来場者の位置の推移を予測して、一部の範囲における来場者の過密化や過疎化を防ぐようにすることが可能になる。
【００４８】
また、本実施形態によれば、携帯電話通信網等の通信ネットワークを用いたり、基準局を設けたりすることなく、低コストで携帯通信端末の位置の推移を把握するシステムを構築することができる。
【００４９】
実施形態２．
次に、本発明の第２の実施形態の位置推移把握システムについて、図面を参照して説明する。本実施形態では、本発明の位置推移把握システムを遭難した登山者の早期発見のために用いる。
【００５０】
図１１は、本発明の第２の実施形態の位置推移把握システムの構成例を示すブロック図である。図１１に示すように、本実施形態の位置推移把握システムは、携帯通信端末４００ａ〜４００ｄ、情報収集セット５００ａ，５００ｂ、および情報集計セット６００ａ，６００ｂを含む。
【００５１】
図１２は、本発明の第２の実施形態の位置推移把握システムにおける各構成要素の配置を示す説明図である。本実施形態では、情報集計セット６００ａが登山口に設置され、登山口から第１の登山道７０１および第２の登山道７０２を経由すると至る山小屋に情報集計セット６００ｂが設置される。また、第１の登山道７０１と第２の登山道７０２との接続箇所を起点とする第３の登山道７０３の沿道に情報収集セット５００ａが設置される。そして、第３の登山道７０３の終点において左右方向に接続される第４の登山道７０４を右方向に進んだ沿道に情報収集セット５００ｂが設置される。
【００５２】
図１１に示すように、情報集計セット６００ａ，６００ｂは、情報蓄積部６１１ａ，６１１ｂおよび制御部６１２ａ，６１２ｂをそれぞれ含む制御装置６１０ａ，６１０ｂと、当該制御装置６１０ａ，６１０ｂにそれぞれ接続された通信装置６２０ａ，６２０ｂとをそれぞれ含む。制御装置６１０ａ，６１０ｂは、例えば、コンピュータによって実現される。なお、通信装置６２０ａ，６２０ｂは、制御装置６１０ａ，６１０ｂに内蔵されていてもよい。
【００５３】
通信装置６２０ａ，６２０ｂは、制御装置６１０ａ，６１０ｂの制御部６１２ａ，６１２ｂの制御にそれぞれ従って、近距離無線通信を行い、携帯通信端末４００ａ〜４００ｄと情報を送受信する。制御部６１２ａ，６１２ｂは、通信装置６２０ａ，６２０ｂが携帯通信端末４００ａ〜４００ｄから受信した情報をそれぞれ情報蓄積部６１１ａ，６１１ｂに蓄積させる。情報蓄積部６１１ａ，６１１ｂは、制御部６１２ａ，６１２ｂの制御に従ってそれぞれ情報を蓄積する。
【００５４】
携帯通信端末４００ａ〜４００ｄは、登山者によってそれぞれ所持される。本実施形態では、携帯通信端末４００ａは登山者「甲」によって所持され、携帯通信端末４００ｂは登山者「乙」によって所持され、携帯通信端末４００ｃは登山者「丙」によって所持され、携帯通信端末４００ｄは登山者「丁」によって所持される。
【００５５】
携帯通信端末４００ａ〜４００ｄは、位置情報生成部４０１ａ〜４０１ｄ、時刻情報提供部４０２ａ〜４０２ｄ、通信部４０３ａ〜４０３ｄ、記憶部４０４ａ〜４０４ｄ、および制御部４０５ａ〜４０５ｄをそれぞれ含む。
【００５６】
位置情報生成部４０１ａ〜４０１ｄは、第１の実施形態における位置情報生成部４０１ａ〜４０１ｚに相当し、例えば、ＧＰＳ衛星から受信した情報に基づいて、自端末の現在位置を示す位置情報を生成する。時刻情報提供部４０２ａ〜４０２ｄは、第１の実施形態における時刻情報提供部１０２ａ〜１０２ｚに相当し、例えば、リアルタイムクロックによって実現され、現在時刻を示す時刻情報を提供する。通信部４０３ａ〜４０３ｄは、第１の実施形態における通信部１０３ａ〜１０３ｚに相当し、近距離無線通信を行って、他の携帯通信端末４００ａ〜４００ｄ、情報収集セット５００ａ，５００ｂ、および情報集計セット６００ａ，６００ｂと情報を送受信する。記憶部４０４ａ〜４０４ｄは、第１の実施形態における記憶部１０４ａ〜１０４ｚに相当し、情報を記憶する。制御部４０５ａ〜４０５ｄは、第１の実施形態における制御部１０５ａ〜１０５ｚに相当し、携帯通信端末４００ａ〜４００ｄの各部を制御する。
【００５７】
なお、携帯通信端末４００ａ〜４００ｄの通信部４０３ａ〜４０３ｄ、情報収集セット５００ａ，５００ｂの通信装置５２０ａ，５２０ｂ、および情報集計セット６００ａ，６００ｂの通信装置６２０ａ，６２０ｂが行う近距離無線通信は、例えば、ブルートゥース（登録商標）の規格に基づく通信や、赤外線無線通信、その他の無線通信である。
【００５８】
なお、情報収集セット５００ａ，５００ｂおよび情報集計セット６００ａ，６００ｂは、図１に示す第１の実施形態における情報収集セット２００と同じ構成であってもよい。
【００５９】
図１１に示すように、情報収集セット５００ａ，５００ｂは、情報蓄積部５１１ａ，５１１ｂおよび制御部５１２ａ，５１２ｂをそれぞれ含む制御装置５１０ａ，５１０ｂと、当該制御装置５１０ａ，５１０ｂにそれぞれ接続された通信装置５２０ａ，５２０ｂとを含む。制御装置５１０ａ，５１０ｂは、例えば、コンピュータによって実現される。なお、通信装置５２０ａ，５２０ｂは、制御装置５１０ａ，５１０ｂにそれぞれ内蔵されていてもよい。
【００６０】
通信装置５２０ａ，５２０ｂは、制御装置５１０ａ，５１０ｂの制御部５１２ａ，５１２ｂの制御に従って、近距離無線通信を行い、携帯通信端末４００ａ〜４００ｄと情報を送受信する。制御部５１２ａ，５１２ｂは、通信装置５２０ａ，５２０ｂが携帯通信端末４００ａ〜４００ｄから受信した情報をそれぞれ情報蓄積部５１１ａ，５１１ｂに蓄積させる。情報蓄積部５１１ａ，５１１ｂは、制御部５１２ａ，５１２ｂの制御に従ってそれぞれ情報を蓄積する。
【００６１】
前述したように、情報収集セット５００ａ，５００ｂは、登山道の沿道に設置される。したがって、商用電源等の電力供給源がない場所に設置される場合がある。そこで、本実施形態の情報収集セット５００ａ，５００ｂには、電力供給源がない場所であっても、情報収集セット５００ａ，５００ｂの各部に電力供給可能な電力供給システムが設けられている。
【００６２】
図１３は、情報収集セット５００ａの電力供給システムの構成例を示すブロック図である。図１３に示すように、情報収集セット５００ａの電力供給システムは、１．８Ｖ電源動作部５３０、３．３Ｖ電源動作部５４０、ハイブリッド充電回路部５５０、１．８Ｖ電圧変換部５６０、および３．３Ｖ電圧変換部５７０を含む。
【００６３】
１．８Ｖ電源動作部５３０は、電波検出回路５３１、ウェイクアップパルス生成回路５３２、および電界効果トランジスタ５３３を含む。
【００６４】
電波検出回路５３１には、アンテナ５３４が接続されている。そして、電波検出回路５３１は、アンテナ５３４が受信した電波の信号強度を測定する。ウェイクアップパルス生成回路５３２は、電波検出回路５３１によるアンテナ５３４が受信した電波の信号強度の測定結果が所定の閾値以上である場合に、ウェイクアップパルスを電界効果トランジスタ５３３に入力する。電界効果トランジスタ５３３は、ウェイクアップパルス生成回路によって生成されたウェイクアップパルスが入力された場合に、３．３Ｖの電圧を３．３Ｖ電源動作部５４０の各部に印加する。
【００６５】
３．３Ｖ電源動作部５４０は、アナログ無線部５４１、デジタル無線部５４２、マイクロコンピュータ５４３、およびその他回路部５４４を含む。３．３Ｖ電源動作部５４０の各部は、電界効果トランジスタ５３３によって印加された３．３Ｖの電圧によって駆動される。
【００６６】
アナログ無線部５４１およびデジタル無線部５４２は、携帯通信端末４００ａ〜４００ｄに情報を送信するための無線信号を生成したり、受信した無線信号を復号したりする。マイクロコンピュータ５４３は、３．３Ｖ電源動作部５４０の各部を制御する。その他回路部５４５は、３．３Ｖ電源動作部５４０の各部に電力を供給したりする。
【００６７】
ハイブリッド充電回路部５５０は、ソーラパネル５５１、充電回路５５２、充電池５５３、および電磁波電圧変換部５５４を含む。ソーラパネル５５１は、太陽光エネルギを電気エネルギに変換して充電回路５５２に入力する。電磁波電圧変換部５５４にはアンテナ５５５が接続されている。そして、電磁波電圧変換部５５４は、例えば、コイルによって実現され、アンテナ５５５が受信した電磁波を電気エネルギに変換して充電回路５５２に入力する。充電回路５５２は、ソーラパネル５５２が入力した電気エネルギ、および電磁波電圧変換部５５４が入力した電気エネルギに基づいて、充電池５５３に充電する。
【００６８】
１．８Ｖ電圧変換部５６０は、充電池５５３に蓄電された電力に基づく１．８Ｖの電圧の電力を電波検出回路５３１およびウェイクアップパルス生成回路５３２に供給する。３．３Ｖ電圧変換部５７０は、充電池５５３に蓄電された電力に基づく３．３Ｖの電圧の電力を電界効果トランジスタ５３３に供給する。
【００６９】
なお、本実施形態では、１．８Ｖ電源動作部５３０の各部は、１．８Ｖ電圧変換部５６０で変換された１．８Ｖの電圧で駆動されるように構成されているが、１．８Ｖ電圧変換部５６０は他の電圧に変換してもよく、１．８Ｖ電源動作部５３０の各部は当該他の電圧で駆動するように構成されていてもよい。
【００７０】
また、本実施形態では、３．３Ｖ電源動作部５４０の各部は、３．３Ｖ電圧変換部５７０で変換された３．３Ｖの電圧で駆動されるように構成されているが、３．３Ｖ電圧変換部５７０は他の電圧に変換してもよく、３．３Ｖ電源動作部５４０の各部は当該他の電圧で駆動するように構成されていてもよい。
【００７１】
図１４は、情報収集セット５００ａ，５００ｂの動作を示すフローチャートである。なお、図１４には、情報収集セット５００ａの近傍を、丙によって所持された携帯通信端末４００ｃが通過した場合を例示されている。しかし、情報収集セット５００ａ，５００ｂの動作は、携帯通信端末４００ａ〜４００ｄのいずれが当該情報収集セット５００ａ，５００ｂの近傍を通過した場合であっても同様である。
【００７２】
登山者である丙によって所持された携帯通信端末４００ｃが情報収集セット５００ａの通信装置５２０ａに近づくと、アンテナ５３４が受信した、携帯通信端末４００ｃによって送信された電波の信号強度が強まる。そして、図１４に示すように、電波検出回路５３１によるアンテナ５３４が受信した電波の信号強度の測定結果が所定の閾値以上である場合に（ステップＳ３０１のＹ）、以下の処理が行われる。すなわち、ウェイクアップパルス発生回路５３２がウェイクアップパルスを電界効果トランジスタ５３３に入力する（ステップＳ３０２）。電界効果トランジスタ５３３は、ウェイクアップパルスが入力されると、３．３Ｖ電圧変換部５７０が供給する３．３Ｖの電圧の電力を３．３Ｖ電源動作部５４０に供給する。具体的には、電界効果トランジスタ５３３は、ゲート端子にウェイクアップパルスが入力されると、ソース端子に印加されている３．３Ｖの電圧に基づくドレイン電流を３．３Ｖ電源動作部５４０に供給する。そして、ドレイン電流を供給することにより３．３Ｖ電源動作部５４０を起動開始させる（ステップＳ３０３）。
【００７３】
そして、３．３Ｖ電源動作部５４０が起動開始から２００ミリ秒等の所定の時間が経過し、行き交い通信の準備が完了した場合に（ステップＳ３０４のＹ）、マイクロコンピュータ５４３によって実現される制御部５１２ａは、以下の処理を行う。すなわち、制御部５１２ａは、情報蓄積部５１１ａに蓄積されている蓄積情報を読み出す（ステップＳ３０５）。制御部５１２ａは、ステップＳ３０５の処理で読みだした情報を、アナログ無線部５４１およびデジタル無線部５４２によって実現される通信装置５２０ａに、携帯通信端末４００ｃへ送信させる（ステップＳ３０６）。
【００７４】
そして、通信装置５２０ａは、携帯通信端末４００ｃから識別情報と時刻情報とを受信する。そして、制御部５１２ａは、通信装置５２０ａが受信した識別情報と時刻情報とを情報蓄積部５１１ａに記憶させる（ステップＳ３０７）。
【００７５】
なお、情報収集セット５００ａの制御部５１２ａは、２４時間ごと等の所定の時間間隔で、情報蓄積部５１１ａに記憶されている情報を消去してもよいし、情報蓄積部５１１ａに記憶されてから２４時間等の所定の時間が経過した情報を消去してもよい。また、制御部５１２ａは、情報蓄積部５１１ａの記憶容量に応じて、最新の所定の人数（例えば、１００人等）の情報が情報蓄積部５１１ａに記憶されるようにし、情報を古い順に消去するようにしてもよい。そのようにすれば、情報蓄積部５１１ａにおいて、記憶量が記憶容量を超えてしまい、新たな情報を記憶させることができないという問題の発生を未然に防ぐことができる。
【００７６】
次に、本実施形態の位置推移把握システムの動作について説明する。図１２に示すように、甲は、矢印７１０によって示されているように、登山口から山小屋に向かって第１の登山道７０１を移動する。そして、甲は、第１の登山道７０１の地点Ｐ３０において、携帯通信端末４００ｂを所持して登山口に向かって下山する乙と行き交う。
携帯通信端末４００ａ，４００ｂは、甲と乙とが行き交うときに互いに情報を送受信する行き交い通信を行う。
【００７７】
具体的には、携帯通信端末４００ａ，４００ｂは、図３を参照して説明したように、第１の実施形態の携帯通信端末１００ａ，１００ｂにおける動作と同様に、互いの識別情報を送受信する。そして、携帯通信端末４００ａ，４００ｂの制御部４０５ａ，４０５ｂは、受信した互いの識別情報と生成した位置情報と提供された時刻情報とを対応付けて記憶部４０４ａ，４０４ｂにそれぞれ記憶させる。なお、本例では、携帯通信端末４００ａ，４００ｂの行き交い通信は１７時００分に行われたとする。したがって、携帯通信端末４００ａ，４００ｂの記憶部４０４ａ，４０４ｂに記憶される時刻情報は、それぞれ１７時００分を示す時刻情報である。また、携帯通信端末４００ａ，４００ｂの制御部４０５ａ，４０５ｂは、位置情報生成部４０１ａ，４０１ｂが生成した位置情報を記憶部４０４ａ，４０４ｂに記憶させる。
【００７８】
携帯通信端末４００ｂの記憶部４０４ｂに記憶された情報は、情報集計セット６００ａによって収集される。具体的には、乙が登山口の近傍に設置されている情報集計セット６００ａの通信装置６２０ａの近傍を通過したときに、情報集計セット６００ａの通信装置６２０ａが携帯通信端末４００ｂの通信部４０３ｂと情報を送受信して当該情報を受信する。
【００７９】
情報集計セット６００ａの制御装置６１０ａの制御部６１２ａは、携帯通信端末４００ｂの通信部４０３ｂから受信した情報を情報蓄積部６１１ａに記憶させる。
【００８０】
よって、携帯通信端末４００ｂの記憶部４０４ｂに記憶されている識別情報「Ａ」と１７時００分を示す時刻情報と位置情報によって示される第１の登山道７０１における地点Ｐ３０とによって、携帯通信端末４００ａが１７時００分に第１の登山道７０１の地点Ｐ３０にあったことを把握することができる。したがって、甲が１７時００分に第１の登山道７０１の地点Ｐ３０にいたことが把握される。
【００８１】
また、第１の登山道７０１を山小屋方向に通過すると、登山道は、山小屋に向かう第２の登山道７０２と第４の登山道７０４に向かう第３の登山道７０３とに別れる。本実施形態では、甲は、第３の登山道７０３を起点から第４の登山道７０４に接続する終点に向かって進んだとする。すると、甲によって所持されている携帯通信端末４００ａは、第３の登山道７０３の沿道に設置されている情報収集セット５００ａの通信装置５２０ａの近傍を通過する。通信装置５２０ａは、近傍を通過する携帯通信端末４００ａと情報を送受信する。
【００８２】
具体的には、情報収集セット５００ａの制御装置５１０ａの制御部５１２ａは、情報蓄積部５１１ａに蓄積されている情報と情報収集セット５００ａを識別する識別情報「ＰＯＳＴａ」とを通信装置５２０ａに携帯通信端末４００ａへ送信させる。また、携帯通信端末４００ａの制御部４０５ａは、識別情報「Ａ」と現在時刻である１８時００分を示す時刻情報とを通信部４０３ａに通信装置５２０ａへ送信させる。
【００８３】
そして、携帯通信端末４００ａの制御部４０５ａは、情報収集セット５００ａの通信装置５２０ａが送信した情報を記憶部４０４ａに記憶させる。具体的には、情報収集セット５００ａの制御装置５１０ａの情報蓄積部５１１ａには、近傍をそれまでに通過した各携帯通信端末が送信した識別情報と時刻情報とが蓄積されている。したがって、情報収集セット５００ａの制御装置５１０ａの制御部５１２ａは、近傍をそれまでに通過した各携帯通信端末の識別情報と通過時刻を示す時刻情報と情報収集セット５００ａを識別する識別情報「ＰＯＳＴａ」とを携帯通信端末４００ａへ通信装置５２０ａに送信させる。そして、携帯通信端末４００ａの制御部４０５ａは、通信部４０３ａが受信した各識別情報と時刻情報とを記憶部４０４ａに記憶させる。
【００８４】
また、情報収集セット５００ａの制御装置５１０ａの制御部５１２ａは、携帯通信端末４００ａの通信部４０３ａが送信した識別情報「Ａ」と１８時００分を示す時刻情報とを情報蓄積部５１１ａに蓄積させる。
【００８５】
本実施形態では、甲は、第３の登山道７０３を終点まで進み、左右方向に接続される第４の登山道７０４を右方向に進んだとする。すると、甲によって所持されている携帯通信端末４００ａは、第４の登山道７０４の沿道に設置されている情報収集セット５００ｂの通信装置５２０ｂの近傍を通過する。通信装置５２０ｂは、近傍を通過する携帯通信端末４００ａと情報を送受信する。
【００８６】
具体的には、情報収集セット５００ｂの制御装置５１０ｂの制御部５１２ｂは、情報蓄積部５１１ｂに蓄積されている情報と情報収集セット５００ｂを識別する識別情報「ＰＯＳＴｂ」とを通信装置５２０ｂに携帯通信端末４００ａへ送信させる。また、携帯通信端末４００ａの制御部４０５ａは、識別情報「Ａ」と現在時刻である１９時００分を示す時刻情報とを通信部４０３ａに通信装置５２０ｂへ送信させる。
【００８７】
そして、携帯通信端末４００ａの制御部４０５ａは、情報収集セット５００ｂの通信装置５２０ｂが送信した情報を記憶部４０４ａに記憶させる。具体的には、情報収集セット５００ｂの制御装置５１０ｂの情報蓄積部５１１ｂには、近傍をそれまでに通過した各携帯通信端末が送信した識別情報と時刻情報とが蓄積されている。したがって、情報収集セット５００ｂの制御装置５１０ｂの制御部５１２ｂは、近傍をそれまでに通過した各携帯通信端末の識別情報と通過時刻を示す時刻情報と情報収集セット５００ｂを識別する識別情報「ＰＯＳＴｂ」とを通信装置５２０ｂに携帯通信端末４００ａへ送信させる。そして、携帯通信端末４００ａの制御部４０５ａは、通信部４０３ａが受信した各識別情報と時刻情報とを記憶部４０４ａに記憶させる。
【００８８】
また、情報収集セット５００ｂの制御装置５１０ｂの制御部５１２ｂは、携帯通信端末４００ａの通信部４０３ａが送信した識別情報「Ａ」と１９時００分を示す時刻情報とを情報蓄積部５１１ｂに蓄積させる。
【００８９】
情報収集セット５００ａの制御装置５１０ａの情報蓄積部５１１ａに蓄積された情報は、登山者である丙が所持する携帯通信端末４００ｃによって収集される。具体的には、丙が第３の登山道７０３の沿道に設置されている情報収集セット５００ａの通信装置５２０ａの近傍を通過したときに、携帯通信端末４００ｃの通信部４０３ｃが情報収集セット５００ａの通信装置５２０ａと情報を送受信して当該情報と情報収集セット５００ａを識別する識別情報「ＰＯＳＴａ」とを受信する。
【００９０】
携帯通信端末４００ｃの制御部４０５ｃは、通信部４０３ｃが情報収集セット５００ａの通信装置５２０ａから受信した情報を記憶部４０４ｃに記憶させる。
【００９１】
そして、丙が下山して登山口を通過するときに、丙が所持する携帯通信端末４００ｃによって収集された、情報収集セット５００ａの制御装置５１０ａの情報蓄積部５１１ａに蓄積された情報と情報収集セット５００ａを識別する識別情報「ＰＯＳＴａ」とは、情報集計セット６００ａによって収集される。具体的には、丙が登山口の近傍に設置されている情報集計セット６００ａの通信装置６２０ａの近傍を通過したときに、情報集計セット６００ａの通信装置６２０ａが携帯通信端末４００ｃの通信部４０３ｃと情報を送受信して当該情報を受信する。
【００９２】
情報集計セット６００ａの制御装置６１０ａの制御部６１２ａは、携帯通信端末４００ｃの通信部４０３ｃから受信した情報を情報蓄積部６１１ａに記憶させる。
【００９３】
したがって、情報集計セット６００ａの制御装置６１０ａの情報蓄積部６１１ａには、情報収集セット５００ａの制御装置５１０ａの情報蓄積部５１１ａに蓄積されていた情報が蓄積される。よって、当該情報に含まれる識別情報「Ａ」と１８時００分を示す時刻情報とによって、携帯通信端末４００ａが１８時００分に情報収集セット５００ａの通信装置５２０ａの近傍を通過したことを把握することができる。したがって、甲が１８時００分に第３の登山道７０３を進んでいたことが把握される。
【００９４】
また、情報収集セット５００ｂの制御装置５１０ｂの情報蓄積部５１１ｂに蓄積された情報は、登山者である丁が所持する携帯通信端末４００ｄによって収集される。具体的には、丁が第４の登山道７０４の沿道に設置されている情報収集セット５００ｂの通信装置５２０ｂの近傍を通過したときに、携帯通信端末４００ｄの通信部４０３ｄが情報収集セット５００ｂの通信装置５２０ｂと情報を送受信して当該情報と情報収集セット５００ｂを識別する識別情報「ＰＯＳＴｂ」とを受信する。
【００９５】
携帯通信端末４００ｄの制御部４０５ｄは、情報収集セット５００ｂの通信装置５２０ｂから受信した情報を記憶部４０４ｄに記憶させる。
【００９６】
そして、丁が下山して登山口を通過するときに、丁が所持する携帯通信端末４００ｄによって収集された情報収集セット５００ｂの制御装置５１０ｂの情報蓄積部５１１ｂに蓄積された情報と情報収集セット５００ｂを識別する識別情報「ＰＯＳＴｂ」とは、情報集計セット６００ａによって収集される。具体的には、丁が登山口の近傍に設置されている情報集計セット６００ａの通信装置６２０ａの近傍を通過したときに、情報集計セット６００ａの通信装置６２０ａが携帯通信端末４００ｄの通信部４０３ｄと情報を送受信して当該情報を受信する。
【００９７】
情報集計セット６００ａの制御装置６１０ａの制御部６１２ａは、携帯通信端末４００ｄの通信部４０３ｄから受信した情報を情報蓄積部６１１ａに記憶させる。
【００９８】
したがって、情報集計セット６００ａの制御装置６１０ａの情報蓄積部６１１ａには、情報収集セット５００ａの制御装置５１０ａの情報蓄積部５１１ａに蓄積されていた情報が蓄積される。よって、当該情報に含まれる識別情報「Ａ」と１９時００分を示す時刻情報とによって、携帯通信端末４００ａが１９時００分に情報収集セット５００ｂの通信装置５２０ｂの近傍を通過したことを把握することができる。したがって、甲が１９時００分に第４の登山道７０４を進んでいたことが把握される。
【００９９】
したがって、その後甲から連絡がなく、遭難したと考えられる場合に、第３の登山道７０３の終点に左右方向に接続される第４の登山道７０４を右方向に進んで捜索することによって、甲を早期に発見することが可能になる。
【０１００】
本実施形態によれば、各携帯通信端末は、他の携帯通信端末と行き交い通信を行うごとに位置情報と時刻情報とを記憶する。したがって、情報収集セット２００の通信装置２２０が携帯通信端末から情報を受信することによって、携帯通信端末を所持していた登山者がいた位置と時刻とを把握することができる。
【０１０１】
また、本実施形態によれば、登山道が設けられた山中に通信ネットワークに接続された基地局等の設備を設けることなく、登山者の位置推移を把握することができる。
【０１０２】
本実施形態によれば、登山口に設けられた情報集計セット６００ａの制御装置６１０ａの通信装置６２０ａが、当該登山口を通過した登山者が所持する携帯通信端末４００ａ〜４００ｄと情報を送受信する。そして、通信装置６２０ａが受信した情報は、情報蓄積部６１１ａに蓄積される。したがって、情報蓄積部６１１ａに蓄積された情報に基づいて、登山者の入山管理および下山管理を行うことができる。
【０１０３】
また、本実施形態によれば、登山道の沿道に設けられた情報収集セット５００ａ，５００ｂの情報蓄積部５１１ａ，５１１ｂに蓄積された情報は、各携帯通信端末を介して情報集計セット６００ａまで運ばれる。よって、情報収集セット５００ａ，５００ｂを携帯電話通信網等の移動体通信ネットワークに接続できない場所にも設置することができる。
【０１０４】
本実施形態によれば、情報蓄積部６１１ａには、登山道の沿道に設けられた情報収集セット５００ａ，５００ｂの情報蓄積部５１１ａ，５１１ｂに蓄積された情報が各携帯通信端末を介して蓄積される。したがって、情報蓄積部６１１ａに蓄積された情報に基づいて、遭難した登山者の位置の推移を把握することができる。また、当該遭難した登山者が通過したことを最後に確認された位置を把握することができる。よって、当該遭難した登山者の捜索の開始位置を容易に決定することができる。したがって、当該遭難した登山者を迅速に発見することが可能になる。
【０１０５】
また、本実施形態によれば、情報収集セット５００ａ，５００ｂは、ソーラパネル５５１や電磁波電圧変換部５５４によって変換された電気エネルギによって駆動されるように構成されているので、電力供給源を設けることなく、登山道の沿道に設置することができる。
【０１０６】
さらに、情報収集セット５００ａ，５００ｂは、携帯通信端末と情報を送受信するときには３．３Ｖの電圧で駆動されるが、そうでないときには１．８Ｖで駆動されるように構成されているので、携帯通信端末の通過を待機しているときの消費電力を低減することができる。
【０１０７】
実施形態３．
本発明の第３の実施形態の携帯通信端末１０について、図面を参照して説明する。図１５は、本発明の第３の実施形態の携帯通信端末１０（図１に示す第１の実施形態の携帯通信端末１００ａ〜１００ｚおよび図１１に示す第２の実施形態の携帯通信端末４００ａ〜４００ｄに相当）の構成例を示すブロック図である。図１５に示すように、本発明の第３の実施形態の携帯通信端末１０は、通信手段１１（図１に示す第１の実施形態の通信部１０３ａ〜１０３ｚおよび図１１に示す第２の実施形態の通信部４０３ａ〜４０３ｄに相当）と、位置情報生成手段１２（図１に示す第１の実施形態の位置情報生成部１０１ａ〜１０１ｚおよび図１１に示す第２の実施形態の位置情報生成部４０１ａ〜４０１ｄに相当）と、記憶手段１３（図１に示す第１の実施形態の記憶部１０４ａ〜１０４ｚおよび図１１に示す第２の実施形態の記憶部４０４ａ〜４０４ｄに相当）とを備える。
【０１０８】
通信手段１１は、近距離無線通信を行う。位置情報生成手段１２は、通信手段１１が近距離無線通信を行ったときに、現在位置を示す位置情報を生成する。記憶手段１３は、位置情報生成手段１２が生成した位置情報を記憶する。そして、通信手段１１は、位置情報を収集する情報収集手段（図１に示す第１の実施形態の情報収集セット２００および図１１に示す第２の実施形態の情報収集セット５００ａ，５００ｂに相当）に記憶手段１３に記憶された位置情報を送信する。
【０１０９】
本実施形態によれば、多額の費用等を費やすことなく、携帯通信端末の位置の推移を把握することができる。
【０１１０】
実施形態４．
本発明の第４の実施形態の位置推移把握システムについて、図面を参照して説明する。図１６は、本発明の第４の実施形態の位置推移把握システムの構成例を示すブロック図である。図１６に示すように、本発明の第４の実施形態の位置推移把握システムは、複数の携帯通信端末１０ａ〜１０ｚ（図１に示す第１の実施形態の携帯通信端末１００ａ〜１００ｚおよび図１１に示す第２の実施形態の携帯通信端末４００ａ〜４００ｄに相当）と、複数の携帯通信端末１０ａ〜１０ｚから情報を受信する情報収集手段２０（図１に示す第１の実施形態の情報収集セット２００および図１１に示す第２の実施形態の情報収集セット５００ａ，５００ｂに相当）とを備える。
【０１１１】
本実施形態によれば、多額の費用等を費やすことなく、携帯通信端末の位置の推移を把握することができる。
【０１１２】
実施形態５．
本発明の第５の実施形態の収集情報提供装置５０について、図面を参照して説明する。図１７は、本発明の第５の実施形態の収集情報提供装置５０（図１１に示す第２の実施形態の情報収集セット５００に相当）の構成例を示すブロック図である。図１７に示すように、本発明の第５の実施形態の収集情報提供装置５０は、情報蓄積手段５１（図１１に示す第２の実施形態の情報蓄積部５１１ａ，５１１ｂに相当）と、情報提供手段５２（図１１に示す第２の実施形態の制御部５１２ａ，５１２ｂおよび通信装置５２０ａ，５２０ｂに相当）とを備える。
【０１１３】
情報蓄積手段５１は、携帯通信端末（図１１に示す第２の実施形態の携帯通信端末４００ａ〜４００ｄに相当）から受信した他の携帯通信端末の位置を示す情報を含む携帯通信端末情報を蓄積する。情報提供手段５２は、情報蓄積手段５１に蓄積された携帯通信端末情報を含む蓄積情報を携帯通信端末に提供する。
【０１１４】
本実施形態によれば、多額の費用等を費やすことなく、携帯通信端末の位置の推移を把握することができる。
【０１１５】
上記の実施形態の一部または全部は、以下の付記のようにも記載されうるが、以下には限られない。
【０１１６】
（付記１）
近距離無線通信を行う通信手段と、前記通信手段が前記近距離無線通信を行ったときに、現在位置を示す位置情報を生成する位置情報生成手段と、前記位置情報生成手段が生成した前記位置情報を記憶する記憶手段とを備え、前記通信手段は、位置情報を収集する情報収集手段に前記記憶手段に記憶された前記位置情報を送信することを特徴とする携帯通信端末。
【０１１７】
（付記２）
前記通信手段が他の携帯通信端末と前記近距離無線通信を行ったときに現在時刻を示す時刻情報を提供する時刻情報提供手段を含み、前記記憶手段は、前記時刻情報提供手段が提供した時刻情報を記憶し、前記通信手段は、前記情報収集手段に、前記記憶手段に記憶された前記時刻情報を送信する付記１に記載の携帯通信端末。
【０１１８】
（付記３）
前記通信手段は、前記近距離無線通信で、自携帯通信端末を識別する識別情報を他の携帯通信端末に送信し、前記他の携帯通信端末を識別する識別情報を前記他の携帯通信端末から受信して記憶手段に記憶させ、前記情報収集手段に、前記記憶手段に記憶させた前記識別情報を送信する付記１または付記２に記載の携帯通信端末。
【０１１９】
（付記４）
付記１から付記３のうちいずれかに記載の複数の前記携帯通信端末と、前記複数の携帯通信端末から情報を受信する前記情報収集手段とを備えたことを特徴とする位置推移把握システム。
【０１２０】
（付記５）
前記情報収集手段は、前記携帯通信端末から受信した情報を蓄積する情報蓄積手段と、前記情報蓄積手段に蓄積されている蓄積情報を前記携帯通信端末に提供する情報提供手段とを含む付記４に記載の位置推移把握システム。
【０１２１】
（付記６）
前記携帯通信端末に提供された前記蓄積情報を前記携帯通信端末から受信する情報集計手段を備えた付記５に記載の位置推移把握システム。
【０１２２】
（付記７）
携帯通信端末から受信した他の携帯通信端末の位置を示す情報を含む携帯通信端末情報を蓄積する情報蓄積手段と、前記情報蓄積手段に蓄積された前記携帯通信端末情報を含む蓄積情報を前記携帯通信端末に提供する情報提供手段とを備えることを特徴とする収集情報提供装置。
【０１２３】
（付記８）
コンピュータに、携帯通信端末と近距離無線通信を行う通信処理と、前記通信処理で前記携帯通信端末と前記近距離無線通信を行ったときに、現在位置を示す位置情報を生成する位置情報生成処理と、前記位置情報生成処理で生成した前記位置情報を記憶手段に記憶させる記憶処理とをそれぞれ実行させ、前記通信処理で、前記記憶手段に記憶された前記位置情報を情報収集手段に送信させるための位置推移提供プログラム。
【０１２４】
（付記９）
コンピュータに、携帯通信端末から受信した他の携帯通信端末の位置を示す情報を含む携帯通信端末情報を蓄積する情報蓄積手段に蓄積された前記携帯通信端末情報を含む蓄積情報を前記携帯通信端末に提供する情報提供処理を実行させるための収集情報提供プログラム。
【０１２５】
（付記１０）
複数の携帯通信端末が、近距離無線通信を行う通信ステップと、前記通信ステップで他の携帯通信端末と前記近距離無線通信を行ったときに、現在位置を示す位置情報を生成する位置情報生成ステップと、前記位置情報生成ステップで生成した前記位置情報を記憶手段に記憶させる記憶ステップとをそれぞれ含み、前記通信ステップで、前記複数の携帯通信端末から情報を受信する情報収集手段に、前記記憶手段に記憶された前記位置情報を送信することを特徴とする位置推移把握方法。
【０１２６】
（付記１１）
近距離無線通信を行う通信ステップと、前記通信ステップで前記近距離無線通信を行ったときに、現在位置を示す位置情報を生成する位置情報生成ステップと、前記位置情報生成ステップ生成した前記位置情報を記憶手段に記憶させる記憶ステップとを含み、前記通信ステップで、位置情報を収集する情報収集手段に前記記憶手段に記憶された前記位置情報を送信することを特徴とする位置推移提供方法。
【０１２７】
（付記１２）
携帯通信端末から受信した他の携帯通信端末の位置を示す情報を含む携帯通信端末情報を情報蓄積手段に蓄積させる情報蓄積ステップと、前記情報蓄積手段に蓄積された前記携帯通信端末情報を含む蓄積情報を前記携帯通信端末に提供する情報提供ステップとを含むことを特徴とする収集情報提供方法。
【符号の説明】
【０１２８】
１０、１０ａ〜１０ｚ、１００ａ〜１００ｚ、４００ａ〜４００ｄ    携帯通信端末
１１、１１ａ〜１１ｚ    通信手段
１２、１２ａ〜１２ｚ    位置情報生成手段
１３、１３ａ〜１３ｚ    記憶手段
５０    収集情報提供装置
５１    情報蓄積手段
５２    情報提供手段
１０１ａ〜１０１ｚ、４０１ａ〜４０１ｄ    位置情報生成部
１０２ａ〜１０２ｚ、４０２ａ〜４０２ｄ    時刻情報提供部
１０３ａ〜１０３ｚ、４０３ａ〜４０３ｄ    通信部
１０４ａ〜１０４ｚ、４０４ａ〜４０４ｄ    記憶部
１０５ａ〜１０５ｚ、４０５ａ〜４０５ｄ    制御部
２００    情報収集セット
２１０    制御装置
２１１、５１１ａ、５１１ｂ、６１１ａ、６１１ｂ    情報蓄積部
２１２、５１２ａ、５１２ｂ、６１２ａ、６１２ｂ    制御部
２２０、５２０ａ、５２０ｂ、６２０ａ、６２０ｂ    通信装置
５３０    １．８Ｖ電源動作部
５３１    電波検出回路
５３２    ウェイクアップパルス生成回路
５３３    電界効果トランジスタ
５３４、５５５    アンテナ
５４０    ３．３Ｖ電源動作部
５４１    アナログ無線部
５４２    デジタル無線部
５４３    マイクロコンピュータ
５４４    その他回路部
５５０    ハイブリッド充電回路部
５５１    ソーラパネル
５５２    充電回路
５５３    充電池
５５４    電磁波電圧変換部
５６０    １．８Ｖ電圧変換部
５７０    ３．３Ｖ電圧変換部
６００ａ、６００ｂ    情報集計セット
【図１】
2015177488.tif 000003
【図２】
2015177488.tif 000004
【図３】
2015177488.tif 000005
【図４】
2015177488.tif 000006
【図５】
2015177488.tif 000007
【図６】
2015177488.tif 000008
【図７】
2015177488.tif 000009
【図８】
2015177488.tif 000010
【図９】
2015177488.tif 000011
【図１０】
2015177488.tif 000012
【図１１】
2015177488.tif 000013
【図１２】
2015177488.tif 000014
【図１３】
2015177488.tif 000015
【図１４】
2015177488.tif 000016
【図１５】
2015177488.tif 000017
【図１６】
2015177488.tif 000018
【図１７】
2015177488.tif 000019